(57)【要約】【課題】  ユーザに操作上の不便を与えることなく、適切なタイミングで言語切換を行う。【解決手段】  外部から印刷データを受信する印刷データ受信部１２と、所定の言語によって各種情報を通知する操作表示部１７と、印刷データからユーザ言語情報を抽出する言語情報抽出部１３とを備え、操作表示部１７は、印刷データに所定のユーザ言語情報が含まれる場合で、印刷データの出力に関する特定の事象が生じた場合に、利用者に通知すべき情報を前記ユーザ言語情報に対応した言語によって通知するようにしてある。【選択図】  図１
2011088315.tif 000002
【特許請求の範囲】
【請求項１】
外部から印刷データを受信する印刷データ受信部と、
所定の言語によって各種情報を通知する通知部と、
前記印刷データからユーザ言語情報を抽出する言語情報抽出部とを備え、
前記通知部は、
前記印刷データに所定のユーザ言語情報が含まれる場合で、前記印刷データの出力に関する特定の事象が生じた場合に、利用者に通知すべき情報を前記ユーザ言語情報に対応した言語によって通知する
ことを特徴とする画像形成装置。
【請求項２】
前記印刷データの出力処理を行うとともに、出力の中断を伴う前記特定の事象を検知する画像出力部を備え、
前記通知部は、
前記画像出力部が前記特定の事象を検知した場合に、利用者に通知すべき情報を、前記ユーザ言語情報に対応した言語によって通知する請求項１記載の画像形成装置。
【請求項３】
一又は二以上の言語で記述された前記利用者に通知すべき情報を各事象及び各ユーザ言語情報に関連づけて保存する記録部を備え、
前記通知部は、
前記印刷データに所定のユーザ言語情報が含まれる場合で、前記印刷データの出力に関する特定の事象が生じた場合に、このユーザ言語情報に対応する言語で記述された利用者に通知すべき情報を、前記記録部から取り出して通知する請求項１又は２記載の画像形成装置。
【請求項４】
前記通知部は、
前記特定の事象に関する利用者に通知すべき情報の通知後に、当該事象が無くなったときは、前記所定の言語によって利用者に通知すべき情報を通知する請求項１乃至３のいずれか一項記載の画像形成装置。
【請求項５】
前記特定の事象は、前記印刷データの出力に関する事象であって、利用者の操作を必要とする事象である請求項１乃至４のいずれか一項記載の画像形成装置。
【請求項６】
前記特定の事象は、前記印刷データの出力の際に発生する用紙切れ、用紙詰まり、トナー切れのいずれかを含む出力の停止に関する事象である請求項１乃至５のいずれか一項記載の画像形成装置。
【発明の詳細な説明】
【技術分野】
【０００１】
本発明は、言語切り替え機能を有する画像形成装置に関する。
【背景技術】
【０００２】
世界経済のグローバル化等に伴い、外国人の従業者を雇用する企業が増えている。
このため、企業では、外国人従業者が働きやすい環境を整えるべく、様々な工夫（例えば、外国語で記載された案内やマニュアルの整備等）がされている。
特に、昨今では、オフィスに設置されてある電話機やプリンタなどの操作方法等を、その従業者の外国語に変換して表示する技術の開発が進められている。
例えば、特許文献１には、簡単な設定動作のもと、プリンタのステータスやガイダンスをユーザに適した言語で表示できる画像形成装置の発明が開示されている。
また、特許文献２には、印刷データとともに表示言語を変更するコマンドを送信することで所望の表示言語で操作パネルを表示することが可能な画像形成装置の発明が開示されている。
【先行技術文献】
【特許文献】
【０００３】
【特許文献１】特開２００４−３１８４２７号公報
【特許文献２】特開２００７−９０７５７号公報
【発明の概要】
【発明が解決しようとする課題】
【０００４】
しかしながら、特許文献１や特許文献２に記載の画像形成装置は、外部からのプリントジョブ（印刷データ）の受信に応じてその後の表示言語が一様に切り替わる仕組みとなっている。
このため、他の利用者が、その画像形成装置で、別の機能（例えば、ＦＡＸやスキャナの機能）を利用している場合や、その機能を利用しようとしている場合であっても、突然、表示言語が切り替わることがあった。
この場合、他の利用者は画面に表示される言語が理解できず、誤操作や遅延を生ずる要因となっていた。
【０００５】
本発明は、上記の事情にかんがみなされたものであり、適切な条件にもとづいて言語切換を行うことにより、一の利用者のみならず、複数利用者の操作上の不便を解消した画像形成装置の提供を目的とする。
【課題を解決するための手段】
【０００６】
上記目的を達成するため、本発明の画像形成装置は、外部から印刷データを受信する印刷データ受信部と、所定の言語によって各種情報を通知する通知部と、前記印刷データからユーザ言語情報を抽出する言語情報抽出部とを備え、前記通知部は、前記印刷データに所定のユーザ言語情報が含まれる場合で、前記印刷データの出力に関する特定の事象が生じた場合に、利用者に通知すべき情報を前記ユーザ言語情報に対応した言語によって通知するようにしている。
【発明の効果】
【０００７】
本発明の画像形成装置によれば、ユーザに操作上の不便を与えることなく、適切なタイミングで言語切換を行うことができる。
【図面の簡単な説明】
【０００８】
【図１】本発明の一実施形態に係る画像形成装置の構成を示すブロック図である。
【図２】本実施形態の画像形成装置の動作手順を示した図である。
【図３】本実施形態の画像形成装置のパネル表示の遷移を示した図である。
【発明を実施するための形態】
【０００９】
以下、本発明の一実施形態に係る画像形成装置の構成について図面を参照しながら説明する。
なお、この画像形成装置は、ＭＦＰであり、プリンタ機能のほか、コピー機能を備えたものとする。
また、本実施形態の画像形成装置は、ＣＰＵ（Central  Process  Unit）やチップセット等の制御要素、ＲＯＭ（Read  Only  Memory）及びＲＡＭ（Random  Access  Memory）等により構成されたコンピュータを有する。ＣＰＵは、プログラムに記述された処理を実行する演算処理装置である。また、ＲＯＭは、プログラム及びデータを予め記憶した不揮発性のメモリである。また、ＲＡＭは、プログラムを実行する際にそのプログラム及びデータを一時的に記憶して、作業領域として用いるメモリである。
【００１０】
すなわち、本実施形態の画像形成装置は、プログラム（ソフトウェア）の命令によりコンピュータで実行される各手段によって実現される。プログラムは、コンピュータの各構成部に指令を送り、以下に示すような所定の処理・機能を行わせる。すなわち、本実施形態の画像形成装置の各構成部は、プログラムとコンピュータとが協働した具体的手段によって実現される。
なお、プログラムの全部又は一部は、例えば、磁気ディスク，光ディスク，半導体メモリ，その他任意のコンピュータで読取り可能な記録媒体により提供され、記録媒体から読み出されたプログラムがコンピュータにインストールされて実行される。また、プログラムは、記録媒体を介さず、通信回線を通じて直接にコンピュータにロードし実行することもできる。
【００１１】
図１は、本発明の一実施形態に係る画像形成装置の構成を示すブロック図である。
画像形成装置１は、図１に示すように、記録部１１、印刷データ受信部１２、言語情報抽出部１３、画像処理部１４、画像出力部１５、制御部１６及び操作表示部１７によって構成される。
【００１２】
記録部１１は、ハードディスク、不揮発メモリ等の記憶装置からなり、利用者に通知すべき情報を予め保存する。
例えば、装置の状態、一般的な操作手順、エラー情報（例えば、紙詰まりが発生したことを知らせるメッセージ、紙詰まりを解消するための対処方法、用紙切れが発生したことを知らせるメッセージなど）等の通知情報を保存する。
また、記録部１１は、このような通知情報を所定の外国語（日本語以外の英語、フランス語、ロシア語、その他必要な外国語）で記述したものを、事象及びユーザ言語情報のカテゴリーに分類して保存することで、「事象」と「言語」の組み合わせ検索に対応するようにしている。
【００１３】
例えば、記録部１１は、「用紙切れ・英語」に対応する通知情報として、「Add paper in Cassette ##」（##は該当するカセット番号）といったメッセージを保存する。
また、記録部１１は、「紙詰まり・英語」に対応する通知情報として「Paper jam  1.Open Cassette## 2.Remove paper by pulling out Cassette##
3.Insert Cassette」といったメッセージを保存する。
【００１４】
印刷データ受信部１２は、ＮＩＣ（Network  Interface  Card）等の通信インタフェースであり、図示しないホストコンピュータから通信ケーブル等を介して印刷データを受信する。
【００１５】
言語情報抽出部１３は、受信した印刷データから予めこの印刷データに組み込まれたユーザ言語情報を抽出する。
「ユーザ言語情報」とは、予めユーザが、プリンタドライバ等によって設定したユーザ自身の使用言語に関する識別情報である。
例えば、ユーザは、予め、「ｅｎ（英語）」、「ｆｒ（フランス語）」、「ｉｔ（イタリア語）」、「ｒｕ（ロシア語）」、その他のユーザ言語情報の中から任意のもの（例えば、母国語に対応するユーザ言語情報）をプリンタドライバによって選択し設定する。設定されたユーザ言語情報は、印刷データのヘッダ等に組み込まれ、印刷データの送信に伴って画像形成装置１に送信される。そして、この印刷データを受信した画像形成装置１では、言語情報抽出部１３がこの印刷データからユーザ言語情報を抽出する。
言語情報抽出部１３は、抽出したユーザ言語情報を制御部１６に通知する。
なお、言語情報抽出部１３は、抽出したユーザ言語情報の言語が現在画像形成装置１に設定されている元の言語と同一でない場合に限り、その情報を制御部１６に通知することもできる。
【００１６】
画像処理部１４は、印刷データ受信部１２が受信した印刷データを解釈して、ビットマップデータに変換し、画像出力部１６に出力する。
【００１７】
画像出力部１５は、印刷エンジン（図示せず）を備え、画像処理部１４から印刷データ（ビットマップデータ）を受け取ると、これをプリンタヘッドや感光ドラム上に現像し、さらに、給紙カセットなどの給紙機構から提供されるプリンタ用紙等にトナー転写・定着させる処理を行う。
また、画像出力部１５は、出力の中断が発生した場合には、これを検知するとともに、出力中断に係るエラー情報（エラーの発生箇所やエラーの種類など）を検知する。
例えば、画像出力部１５は、ある給紙カセットにおいて用紙が無くなった「用紙切れ」の状態や該当するカセット番号、紙送り機構（給紙カセット含む）において用紙が詰まった「紙詰まり」の状態や該当する場所、トナー残量が一定残量より少なくなった「トナー切れ」の状態等を検知することができる。
なお、画像出力部１５は、このような出力の中断を検知すると、そのエラー情報を制御部１６に通知する。
【００１８】
制御部１６は、画像形成装置１の各構成部を統括的に制御する。
特に、制御部１６は、印刷データから抽出したユーザ言語情報を言語情報抽出部１４から受け取り、かつ、画像出力部１６から出力中断に関するエラー情報を受け取ると、以降の通知情報（この出力中断に関しユーザに通知すべき情報を含む）をそのユーザ言語情報に対応した言語に切り替えて表示するよう制御を行う。
具体的には、その後、ユーザに通知すべき情報については、記録部１１に保存されている通知情報のうち、切り替える言語のカテゴリーに属する通知情報を取り出して表示するよう操作表示部１７に命令（表示切替命令）を行う。
なお、制御部１６は、この表示切替命令を行った後、中断されていた出力が完了したことを検知すると、切替前の言語に戻すよう操作表示部１７に命令（表示切り戻し命令）を行う。
【００１９】
操作表示部（本発明の通知部）１７は、液晶画面等からなり、利用者に対し各種通知情報を表示する。
特に、操作表示部１７は、制御部１６から表示切替命令を受けると、その後の表示言語をその命令に対応した言語に切り替える動作を行う。
このため、この表示切替命令の契機となった出力中断についてユーザに通知すべき情報については、その切替後の言語によって表示される。
具体的には、出力中断を検知するとそのエラー情報とユーザ言語情報とが制御部１６に通知され、対応する言語の通知情報が記録部１１から取り出され、これを操作表示部１７が表示する。
なお、操作表示部１７は、制御部１６から表示切り戻し命令を受けると、切換前の元の言語に切り戻す動作を行う。
つまり、操作表示部１７は、中断していた出力が再開し、その出力が完了すると、その後の通知情報は、元の言語によって表示する。
【００２０】
次に、以上のような構成からなる本実施形態の画像形成装置の動作手順について図２を参照しながら説明する。
【００２１】
図２に示すように、画像形成装置１の表示言語としては「日本語」が初期値として設定されているものとする（イ）。
また、ユーザは、予め、自身が普段使用するユーザ言語情報（英語）をプリンタドライバを介して設定しているものとする（ロ）。
なお、この段階（ａ）における画面表示を、図３（ａ）に示す。同図に示すように、この段階での通知情報は、初期設定された日本語によって表示される（本例では、コピー可能状態を示すメッセージ「コピーできます。」を表示する）。
【００２２】
図２に示すように、画像形成装置１は、まず、印刷データ受信部１２が、ユーザのホストコンピュータ等から印刷データを受信する（Ｓ１）。
次いで、言語情報抽出部１３が、受信した印刷データからユーザ言語情報を抽出する（Ｓ２）。言語情報抽出部１３は、抽出したユーザ言語情報を制御部１６に通知する。
【００２３】
次に、画像処理部１４が、印刷データを解析し、ビットマップ化等の画像処理を行う（Ｓ３）。画像処理部１４は、その画像処理後のビットマップデータを、画像出力部１５に出力する。
続いて、画像出力部１５は、画像処理後の印刷データの出力処理を行う（Ｓ４）。
【００２４】
ここで、画像形成装置１において、「用紙切れ」の発生により出力が中断したものとする。
画像出力部１５は、この「用紙切れ」を検知するとともに、「用紙切れ」に関するエラー情報（例えば、用紙が無くなったカセットの番号等）を取得し、これを制御部１６に通知する（Ｓ５）。
これを受け、制御部１６は、その後の表示言語を切り替える制御を行う（Ｓ６）。具体的には、制御部１６は、操作表示部１７に対し表示切替命令を行う。
この段階（ｂ）における画面表示を、図３（ｂ）に示す。同図に示すように、この段階での通知情報は、初期設定された日本語によって表示される（本例では、表示切替処理中を示すメッセージ「データ処理中です。」を表示する。
【００２５】
操作表示部１７は、制御部１６から表示切替命令を受けると、表示言語を切り替えて、その後の通知情報を表示する（Ｓ７）。
具体的には、制御部１６から表示切替命令を受けた操作表示部１７は、記録部１１にアクセスし、この命令に係るユーザ言語情報の言語（英語）のカテゴリーの中から対応する通知情報（「用紙切れ」に関する通知情報）を取り出し、これを画面に表示する。
なお、この場合（ｃ）の画面表示を、図３（ｃ）に示す。同図に示すように、操作表示部１７は、「用紙切れ」に対応する通知情報として、用紙の追加を促す英語のメッセージ「Add paper in Cassette1」を表示する。
【００２６】
続いて、画像形成装置１において、「紙詰まり」が発生したものとする。
画像出力部１５は、この「紙詰まり」を検知するとともに、「紙詰まり」に関するエラー情報（例えば、紙詰まりが発生している場所等）を取得し、これを制御部１６に通知する（Ｓ８）。
これを受け、制御部１６は、「紙詰まり」に関する通知情報を表示する（Ｓ９）。
具体的には、操作表示部１７は、記録部１１にアクセスし、この命令に係るユーザ言語情報の言語（英語）のカテゴリーの中から対応する通知情報（この場合、「紙詰まり」に関する通知情報）を取り出し、これを画面に表示する。
なお、この場合（ｄ）の画面表示を、図３（ｄ）に示す。同図に示すように、操作表示部１７は、「紙詰まり」に対応する通知情報として、紙詰まりが発生している旨の英語のメッセージ（「Paper Jam」）と、紙詰まりを解消する方法を示す英語のメッセージ（「1.Open Cassette 2.Remove paper
by pulling out Cassette1 3.Insert Cassette」）を表示する。
【００２７】
プリント出力が終了すると、画像形成装置１は、その旨をユーザのホストコンピュータに通知することによって一の印刷データに関する出力処理は完了する（Ｓ１０）。
プリント出力が完了すると、制御部１６は、操作表示部１７に対し表示切り戻し命令を行う（Ｓ１１）。この場合（ｅ）の画面表示を、図３（ｅ）に示す。
これにより、操作表示部１７は、その後の通知情報を切替前の言語で表示する。具体的には、記録部１１の「日本語」のカテゴリーに属する通知情報を取り出して表示することとなる。
なお、この段階（ｆ）における画面表示を、図３（ｆ）に示す。同図に示すように、この段階での通知情報は、初期設定された日本語によって表示される（本例では、コピー可能状態を示すメッセージ「コピーできます。」を表示する）。
【００２８】
以上説明したように、本実施形態の画像形成装置１によれば、言語情報抽出部１３が印刷データに組み込まれたユーザ言語情報を抽出し、画像出力部１５が出力中断に係る事象を検出するようにしている。
そして、ホストコンピュータ等から受信した印刷データからユーザ言語情報が抽出され、かつ、その印刷データについて出力中断が生じた場合には、そのユーザ言語情報に対応した言語によってエラー情報やエラー解除方法等の通知情報を通知するようにしている。
つまり、単にユーザ言語情報の受信を契機として表示言語の切替を行うのではなく、出力の中断が発生した場合（例えば、紙詰まりや用紙切れ等）に限り、言語切替を行うようにしている。
【００２９】
このため、ユーザが外国人であるか否かを問わず、プリンタ等を使用した際に、紙詰まりや用紙切れが発生したとしても、これをいち早く容易に認識することができ、また、このようなエラーに対する処置を円滑に行うことができる。
また、同じ画像形成装置において、他の機能を使用している者がいたとしても、従来のように突然言語が切り替わるような不具合は発生せず、その者に対する操作性の低下も防ぐことができる。つまり、この場合であっても、その者が外国人であるか否かを問わず、利便性を維持することができる。
そして、特に、ＭＦＰ等、複数の機能を有する画像形成装置においては、さらにその利便性を向上させることができる。
【００３０】
以上、本発明の画像形成装置について、好ましい実施形態を示して説明したが、本発明にかかる画像形成装置は、上述した実施形態にのみ限定されるものではなく、本発明の範囲で種々の変更実施が可能であることは言うまでもない。
【産業上の利用可能性】
【００３１】
本発明は、二以上の機能を有するＭＦＰなどの画像形成装置に好適に利用することができる。
【符号の説明】
【００３２】
１  画像形成装置
１１  記録部
１２  印刷データ受信部
１３  言語情報抽出部
１４  画像処理部
１５  画像出力部
１６  制御部
１７  操作表示部
【図１】
2011088315.tif 000003
【図２】
2011088315.tif 000004
【図３】
2011088315.tif 000005